(57)【要約】【課題】安定したインダクタ固定方式であって、巻線と鉄心との間に規定に符合する安全距離を持たせたインダクタの台座を提供すること。【解決手段】インダクタは、中空軸部と周囲誘電部とを有するリング状本体を備えている。台座は底部と、溝部と、掛止手段とを備えている。溝部は底部上に設けられている。掛止手段は、掛止手段の中央部分に設けられるとともに、中空軸部内に貫通配置可能な横方向軸部を有している。掛止手段の下方部分が溝部に固定されると、リング状本体の周囲誘電部の少なくとも一部分が、溝部内に伸入する。【選択図】図２Ｂ
0003138715.tif 000002
【実用新案登録請求の範囲】
【請求項１】
インダクタの台座であって、前記インダクタは、中空軸部と周囲誘電部とを有するリング状本体を備えており、前記台座は、
底部と、
前記底部上に設けられている溝部と、
その中央部分に設けられるとともに、前記中空軸部内に貫通配置可能な横方向軸部を有している掛止手段と、を備え、
前記掛止手段の下方部分が前記溝部に固定されると、前記リング状本体の周囲誘電部の少なくとも一部分が、前記溝部内に伸入することを特徴とする、
インダクタの台座。
【請求項２】
少なくとも一本の固定棒を更に備えており、前記底部の一方側には少なくとも一つの内向凹部が設けられており、前記少なくとも一本の固定棒が前記底部の前記少なくとも一つの内向凹部の内側から下方に向けて延在していることを特徴とする請求項１に記載の台座。
【請求項３】
四本の固定棒を更に備えており、前記底部の二つの対向する側には、対称した二つの内向凹部が各々設けられており、前記複数の固定棒が前記底部の前記対称した二つの内向凹部の内側から下方に向けて延在していることを特徴とする請求項２に記載の台座。
【請求項４】
前記溝部の一方側が斜面により形成されて、更に前記インダクタの周囲誘電部の外形輪郭に対応していることを特徴とする請求項１に記載の台座。
【請求項５】
前記周囲誘電部が巻線を備えたことを特徴とする請求項１に記載の台座。
【請求項６】
前記掛止手段が鉄心であることを特徴とする請求項１に記載の台座。
【考案の詳細な説明】
【技術分野】
【０００１】
本考案はインダクタの台座に関し、特にフィルタインダクタに用いられ、フィルタインダクタに取り付けられるとともに、インダクタの巻線と鉄心とを一定の距離で保持可能な台座に関する。
【背景技術】
【０００２】
科学技術が急速に進歩している今日、家庭電化製品および各種通信用電子機器はかなり普及しており、徐々に小型・薄型でかつ多機能なものに発展してきている。
これを代表するのは、家庭電化製品および各種通信用電子機器の電子回路における、電子素子の集積の精度への更なる要求である。電子素子の間の電磁干渉（ｅｌｅｃｔｒｏ  ｍａｇｎｅｔｉｃ  ｉｎｔｅｒｆｅｒｅｎｃｅ，ＥＭＩ）を避けるために、更には製品の全体的な動作を妨げるのを防止するために、このような回路ではフィルタインダクタを設けて、フィルタインダクタの電磁誘導の作用により、高周波ノイズのろ波を行っている。
【０００３】
上記したように、現在の電子および通信機器ではいずれも小型・薄型の目標に向かって発展している。
従来のフィルタインダクタの立体図は図１Ａ、図１Ｂおよび図１Ｃに示すようになっている。このうち図１Ａは底部の立体斜視図、図１Ｂおよび図１Ｃは同じ角度から見たときの正面視の立体図であり、かつ図１Ｃは巻線が巻回されているインダクタである。
【０００４】
図１Ａに示すように、インダクタ１の固定棒１０３が台座１０１上に固定される技術には挿入式が用いられている。
再度図１Ｂおよび図１Ｃを参照されたい。インダクタ１の巻線１０５が溝１０７を経て固定棒１０３にまで引き出されて、固定棒１０３上に巻線１０５が巻回されるとともに、はんだ付けで固定された後には、インダクタ１の台座１０１の高さの起伏が揃わなくなってしまっている。
もし台座１０１の底部の固定棒１０３がプリント回路基板（図示せず）のスルーホール（ｔｈｒｏｕｇｈ−ｈｏｌｅ）に挿入されると、不安定となる不具合が発生するため、一定高さの四つの突起１０９を底面に別途設けて、台座１０１の高さを調整している。
しかしながら、上記方法では確かにインダクタ１が不安定となる問題は解決できるものの、台座１０１の底面における四つの側辺のいずれにも突起１０９が設けられているため、インダクタ１全体が高くなってしまい、この種のインダクタ１ではサイズが大きくなってしまう。
【０００５】
また、台座１０１の底面の他方側がインダクタ１の取付面１１１であり、この取付面１１１は一般的に平面となっている。
インダクタの鉄心１１３および巻線１０５は一定の距離を持たせなければならず、しかも距離を縮める方策がないため、間接的にインダクタ１の全体の高さが嵩んでしまい、業界における装置全体に対しての薄型化のニーズを満たすことができなくなっている。
そしてこの取付面１１１の平面構造が、インダクタ１中における巻線１０５の底部に対しての鉄心１１３との間の安全距離が相対的に短くなってしまい、インダクタ１の正常な動作に影響を及ぼしやすくなってしまう。
【０００６】
また、従来技術においては、鉄心１１３と巻線１０５との間には二枚のセパレータ１１５が更に設けられており、鉄心１１３のサイズが小さめで巻線１０５のサイズが大きめの場合、中間の二枚のセパレータ１１５の制限により組立が難しくなり、巻線１０５と台座１０１との結合がきつくなってしまい、インダクタ１の効率が低下してしまう。
【０００７】
さらに、安全規定の要求に符合させるためにも、巻線１０５と底部の鉄心１１３とには充分な距離を持たせる必要がある。
一般的には、巻線１０５と底部の鉄心１１３とには少なくとも１．６mmの距離を持たせる必要がある。
しかしながら、従来のインダクタ１ではセパレータ１１５があるために、引き出す巻線１０５ａと鉄心１１３との間に充分な間隔距離を持たせることができず、安全性の不足を招いていた。
【考案の開示】
【考案が解決しようとする課題】
【０００８】
上記をまとめるに、従来技術におけるインダクタの台座は全体の体積が大きくなり過ぎ、固定方式も安定性に欠け、巻線と鉄心との安全距離が足らないなどの問題があるため、より安定したインダクタ固定方式であって、巻線と鉄心との間に規定に符合する安全距離を持たせたインダクタの台座を開発することは、業界において解決すべき課題となっている。
【課題を解決するための手段】
【０００９】
本考案の目的は、従来技術の欠点に対して、高さおよび全体サイズがより小さく、はんだ付け固定しやすいうえに、インダクタ内における巻線および底部の鉄心との安全距離を広げることができるインダクタの台座を提供するところにある。
【００１０】
本考案が開示する技術的思想は以下のとおりである。インダクタの台座であって、インダクタは、中空軸部と周囲誘電部とを有するリング状本体を備えている。台座は底部と、溝部と、掛止手段と、少なくとも一本の固定棒とを備えている。溝部は底部上に設けられるとともに、底部の他方側には少なくとも一つの内向凹部が設けられている。掛止手段は、掛止手段の中央部分に設けられるとともに、中空軸部内に貫通配置可能な横方向軸部を有している。掛止手段の下方部分が溝部に固定されると、リング状本体の周囲誘電部の少なくとも一部分が、溝部内に伸入する。少なくとも一本の固定棒は底部の少なくとも一つの内向凹部の内側から下方に向けて延在している。
【考案の効果】
【００１１】
上記構造によれば、本考案の固定棒が台座の底部内にて窪みに設けられており、そしてインダクタもまた台座の溝部内に延在して取り付けられているので、インダクタ全体の高さを効果的に調節することができる。また、溝部の少なくとも一側面の斜面が、巻線と底部の鉄心との間に安全距離を持たせて、インダクタの安全性を高めることができる。そして固定棒の窪んだ台部の側面と台座の側面とが貫通して内向凹部を形成することで、はんだ付け用の切欠きを残してある。これにより巻線の引出線をはんだ付けした後におけるサイズが台座からはみ出さないように調節して、インダクタ全体の高さを効果的に調節することができ、業界における小型・薄型化のニーズを満たすことができる。そして溝部はインダクタを取付固定することができ、組立効率を向上させるとともにコストを削減できる。
【００１２】
図面および後述の実施形態を参照することにより、当業者であれば本考案の目的、考案の技術的手段および実施形態を理解できるであろう。
【考案を実施するための最良の形態】
【００１３】
本考案の好ましい実施例はインダクタアッシー２であり、その立体分解図は図２Ａに示すとおりである。インダクタアッシー２はインダクタ２１と台座２３とを備えており、このうちインダクタ２１は特にろ波用のフィルタインダクタを指し、そして台座２３はこのフィルタインダクタを載置するための載置用台座である。インダクタ２１は、中空軸部２０１と周囲誘電部２０３とを有するリング状本体を備えている。台座２３は底部２３１と、溝部２３３と、掛止手段２３５と、四本の固定棒２３７とを備えている。
【００１４】
この実施例において、インダクタ２１の周囲誘電部２０３は二つのリング半体２０３ａ、２０３ｂと巻線２０３ｃとからなり、リング半体２０３ａ、２０３ｂは対応して組み立てられた後、中間部分により中空軸部２０１が形成され、前記したリング状本体を形成する。また、リング半体２０３ａ、２０３ｂが対応して組み立てられた後、その上には少なくとも一つのリング状溝２０３ｄを有して、これにより巻線２０３ｃがその中に巻回可能となっている。この実施例において、巻線は導線を採用することができる。
【００１５】
図２Ｃに示すように、台座２３において、底部２３１の二つの対向する側には対称した二つの内向凹部２３１ａが各々設けられており、この実施例においては、各内向凹部２３１ａは台座２３の一側面の一部分を貫通して、更に貫通した箇所に隣接した台座２３の下方が窪んで形成されている。
【００１６】
溝部２３３は台座２３の底部上に設けられ、溝部２３３の一方側は斜面により形成されて、更にインダクタ２１の周囲誘電部２０３の外形輪郭に対応している。本実施例では、単に単純な斜面が周囲誘電部２０３の下方の円弧状輪郭に対応しているのみであるが、その他の実施形態においては、この斜面を下方に窪んだ円弧状輪郭として作製し、周囲誘電部２０３のピッチにより対応させてもよい。また、溝部２３３の両側は掛止手段２３５の下部に対応させることができる。
【００１７】
インダクタアッシー２を回路基板（図示せず）上に固定するために、台座２３は同様にこれを固定するための四本の固定棒２３７を備えている。底部２３１の二つの対向する側には対称した二つの内向凹部２３１ａが設けられているため、この四本の固定棒２３７は内向凹部２３１ａの内側から下方に延出させて引き出すことができる。注意すべきは、固定棒２３７の本数は上記に限定されるわけでなく、その配設位置と配設方式もまた上記実施例に述べる態様に限定されるものではないということである。よって、内向凹部２３１ａおよび溝部２３３の斜面の位置および数量も同様に限定されない。例えば、斜面は溝部２３３の両側に同時に設けてもよい。
【００１８】
掛止手段２３５は、掛止手段２３５の中央部分に設けられるとともに、中空軸部２０１内に貫通配置可能な横方向軸部２３５ａを備えている。掛止手段２３５の下方部分が溝部２３３内に挿入固定されると、リング状本体の周囲誘電部２０３の少なくとも一部分が、溝部２３３内に伸入する。より詳細には、本実施例における掛止手段２３５は日字状をなした鉄心である。
【００１９】
インダクタ２１を組み立てる際には、インダクタ２１を溝部２３３中の対応する取付溝に挿入するだけで完了するので、組立工程はかなり簡便でしかも組立効率は極めて高い。そしてインダクタアッシー２を回路基板上に取り付ける場合には、台座２３の側面に沿って、固定棒２３７を回路基板上にはんだ付けするだけでよい。
【００２０】
本考案においては、掛止手段２３５の底部がちょうど台座２３の底部の溝部２３３を覆うため、掛止手段２３５の底部からインダクタ２１までの間の安全距離を大幅に長くしている。また、固定棒２３７は内向凹部２３１ａから引き出され、巻線２０３ｃが固定棒２３７に巻回される部位はこの内向凹部２３１ａにより隠されており、巻線２０３ｃを固定棒２３７にはんだ付けした後、そのサイズは台座２３からはみ出すことはない。このように台座２３の底部の高さは巻線２０３ｃに影響されることはないので、本考案の台座２３では全体高さを効果的に調整できるだけでなく、突起を設けることなくインダクタアッシー２の固定棒２３７で回路基板上に固定することができ、更には業界におけるインダクタアッシー２の全体的機構に対する体積のニーズを満たすことができる。
【００２１】
上記の実施例は、単に本考案の実施態様を例示し、本考案の技術的特徴を説明するためのみのものであって、本考案の範囲を限定するためのものではない。当業者が容易に完成した改変または均等的なアレンジはいずれも本考案が主張する範囲に含まれるものであり、本考案の権利保護範囲は実用新案登録請求の範囲を基準と見なすべきである。
【図面の簡単な説明】
【００２２】
【図１Ａ】従来技術におけるインダクタの台座の底部立体図である。
【図１Ｂ】従来技術におけるインダクタの台座の正面図である。
【図１Ｃ】従来技術におけるインダクタの台座に巻線を巻回した後の正面図である。
【図２Ａ】本考案の実施例におけるインダクタアッシーの分解図である。
【図２Ｂ】本考案の実施例におけるインダクタアッシーの立体図である。
【図２Ｃ】本考案の実施例におけるインダクタアッシーの他の角度から見た立体図である。
【符号の説明】
【００２３】
１  インダクタ
１０１  台座
１０３  固定棒
１０５  巻線
１０５ａ  巻線引き出し線
１０７  溝
１０９  突起
１１１  取付面
１１３  鉄心
１１５  セパレータ
２  インダクタアッシー
２１  インダクタ
２０１  中空軸部
２０３  周囲誘電部
２０３ａ、２０３ｂ  リング半体
２０３ｃ  巻線
２０３ｄ  リング状溝
２３  台座
２３１  底部
２３３  溝部
２３５  掛止手段
２３７  固定棒
【図１Ａ】
0003138715.tif 000003
【図１Ｂ】
0003138715.tif 000004
【図１Ｃ】
0003138715.tif 000005
【図２Ａ】
0003138715.tif 000006
【図２Ｂ】
0003138715.tif 000007
【図２Ｃ】
0003138715.tif 000008